(57)【要約】【課題】流体をホースによって搬送すると共に、そのホースに取り付けた信号線により信号を伝送する際に、複雑な構造を要することなく、且つ、作業の遅滞を生じることなく信号を確実に伝送することができる流体搬送装置を提供する。【解決手段】ホース２と、その長手方向がホース２の長手方向に沿うようにホース２に取り付けられる信号線３とが、支持部材６により支持される回転部材５により巻取りおよび繰出し可能である。その回転部材５に巻かれたホース２の一端を流体搬送用配管に接続する配管コネクタと、信号線３の一端を信号伝送用配線に接続する配線コネクタとを備える。その信号線３の他端に制御信号発信用の操作装置１５が接続される。そのホース２は、その回転部材５に巻かれた状態で流体を搬送可能なように保形性を有する。【選択図】図１
2004065456.tif 000002
【特許請求の範囲】
【請求項１】
ホースと、
その長手方向がホースの長手方向に沿うようにホースに取り付けられる信号線と、
そのホースを信号線と共に巻取りおよび繰出し可能な回転部材と、
その回転部材を回転可能に支持する支持部材と、
その回転部材に巻かれたホースの一端を流体搬送用配管に接続する配管コネクタと、
その回転部材にホースと共に巻かれた信号線の一端を信号伝送用配線に接続する配線コネクタとを備え、
その信号線の他端に制御信号発信用の操作装置が接続され、
そのホースは、その回転部材に巻かれた状態で流体を搬送可能なように保形性を有することを特徴とする流体搬送装置。
【請求項２】
そのホースを覆うカバーを備え、そのカバーとホースとの間に配置されることで前記信号線はホースに取り付けられている請求項１に記載の流体搬送装置。
【請求項３】
その配管コネクタは、その回転部材と同行回転すると共に前記ホースの一端が接続される部材と、この部材に相対回転可能に連結されると共に前記流体搬送用配管が着脱可能に接続される部材とを有し、両部材を介してホースと流体搬送用配管との間で流体が搬送され、
その信号伝送用配線は、その回転部材と同行回転すると共に前記信号線の一端が接続される部材と、この部材に相対回転可能に連結されると共に前記信号伝送用配線が着脱可能に接続される部材とを有し、両部材の間に信号線と信号伝送用配線とを電気的に接続する接合機構が設けられている請求項１または２に記載の流体搬送装置。
【請求項４】
前記流体搬送用配管に接続される消火水吐出用ポンプと、
その流体搬送用配管に切り替え機構を介して接続される消火薬剤タンクと、
前記ホースの他端に接続される消火流体噴出ノズルと、
その切り替え機構と前記信号伝送用配線とに接続される制御装置とを備え、
その制御装置は、前記操作装置の操作によって発信される制御信号に応じて、その切り替え機構を消火薬剤タンクから流体搬送用配管に消火薬剤を供給させる状態と供給を遮断する状態との間で切り替え可能である請求項１〜３の中の何れかに記載の流体搬送装置。
【発明の詳細な説明】
【０００１】
【発明の属する技術分野】
本発明は、液圧機器や空圧機器から送り出される液体や気体といった圧力流体を搬送するのに適した流体搬送装置に関する。
【０００２】
【従来の技術】
例えば消防車にリールに巻かれた状態で搭載されている消火流体搬送用ホースは、火災現場においてリールから繰り出されると共に、その一端が消防車の給水口に接続される。しかる後に、消防車のポンプにより吐出される消火流体が、そのホースの他端に取り付けられたノズルから火災発生箇所に向けて噴出される。
【０００３】
一般的に用いられている消火流体搬送用ホースは、布製の本体を薄いゴムや合成樹脂等によって被覆することで形成されている。そのようなホースは保形性がないため、リールに巻かれている時は断面が偏平状に変形している。そのように断面が偏平状態では消火流体を搬送できないことから、使用時においてはホースをリールから完全に繰り出す必要がある。しかし、ホースをリールから完全に繰り出すのに時間を要すると消火活動が遅滞することから、一本のホースの長さは制限されていた。そのため、消火流体の搬送距離が長い場合、複数本のホースを継手を介して連結していた。
【０００４】
また、そのホースに取り付けられた消火流体噴出用ノズルの近傍に操作装置を設け、その操作装置の操作により消火流体を送り出すポンプ等の機器を制御することが提案されている。この場合、その操作装置から制御対象機器へ信号を伝送するため、ホースに信号線を取り付けたり、無線装置を用いることが提案されている。
【０００５】
【発明が解決しようとする課題】
消火流体の搬送距離が長い場合、従来は上記のように複数本のホースを継手を介して連結していた。そのため、ホースに信号線を取り付る場合、消火流体の搬送距離が長いと、その継手において電気的接点を介して互いに接続される複数本の信号線が必要になる。しかし、火災現場においてはホースの連結作業は緊急を要するために継手は手荒に取扱われる。そのため、その継手における電気的接点の接触不良が生じ易くなり、その継手の数が多くなるとそれだけ信号伝達の信頼性が低下する。そのため、信号線を取り付けたホースは実用化されていなかった。また、無線装置を用いて制御対象機器へ信号を伝送する場合、火災現場においては火災状況や警備状況等を音声連絡するための無線装置が多用されていることから、混信が生じるおそれが大きく信頼性に欠けるという問題がある。
本発明は、上記課題を解決することのできる流体搬送装置を提供することを目的とする。
【０００６】
【課題を解決するための手段】
本発明の流体搬送装置は、ホースと、その長手方向がホースの長手方向に沿うようにホースに取り付けられる信号線と、そのホースを信号線と共に巻取りおよび繰出し可能な回転部材と、その回転部材を回転可能に支持する支持部材と、その回転部材に巻かれたホースの一端を流体搬送用配管に接続する配管コネクタと、その回転部材にホースと共に巻かれた信号線の一端を信号伝送用配線に接続する配線コネクタとを備え、その信号線の他端に制御信号発信用の操作装置が接続され、そのホースは、その回転部材に巻かれた状態で流体を搬送可能なように保形性を有することを特徴とする。
本発明の流体搬送装置におけるホースは回転部材に巻かれた状態で保形性を有するので、流体搬送距離が長い場合でも継手を介して連結される複数のホースを必要としない。よって、そのホースに信号線を取り付けることで、継手において電気的接点を介して接続される複数の信号線も必要とされない。すなわち、ホースによる消火流体搬送距離が長い場合でも信号線により確実に信号を伝送できる。
【０００７】
そのホースを覆うカバーを備え、そのカバーとホースとの間に配置されることで前記信号線はホースに取り付けられているのが好ましい。
これにより、その信号線をカバーにより保護すると共に容易にホースに取り付けることができる。
【０００８】
その配管コネクタは、その回転部材と同行回転すると共に前記ホースの一端が接続される部材と、この部材に相対回転可能に連結されると共に前記流体搬送用配管が着脱可能に接続される部材とを有し、両部材を介してホースと流体搬送用配管との間で流体が搬送され、その信号伝送用配線は、その回転部材と同行回転すると共に前記信号線の一端が接続される部材と、この部材に相対回転可能に連結されると共に前記信号伝送用配線が着脱可能に接続される部材とを有し、両部材の間に信号線と信号伝送用配線とを電気的に接続する接合機構が設けられているのが好ましい。
これにより、流体搬送用配管に接続された状態のホースと信号伝送用配線に接続された状態の信号線の回転部材による巻き取り又は繰り出しができ、また、その巻き取り又は繰り出しを行いつつホースと流体搬送用配管とを着脱し、信号線と信号伝送用配線とを着脱できるので、作業性を向上できる。
【０００９】
前記流体搬送用配管に接続される消火水吐出用ポンプと、その流体搬送用配管に切り替え機構を介して接続される消火薬剤タンクと、前記ホースの他端に接続される消火流体噴出ノズルと、その切り替え機構と前記信号伝送用配線とに接続される制御装置とを備え、その制御装置は、前記操作装置の操作によって発信される制御信号に応じて、その切り替え機構を消火薬剤タンクから流体搬送用配管に消火薬剤を供給させる状態と供給を遮断する状態との間で切り替え可能であるのが好ましい。
消火現場においては、火災発生箇所に消火流体として水のみを散布するのか薬剤も併せて散布するのかの判断を、ノズルを持つ消防士が迅速に行い、その判断に応じて消火流体の種類を切り替えることが要望されている。この構成によれば、その操作装置の操作により消火薬剤タンクから流体搬送用配管に消火薬剤を供給する状態と供給を遮断する状態とに切り替えることで、その要望に答えることができる。
【００１０】
【発明の実施の形態】
図１は消防自動車に搭載される流体搬送装置１を示し、流体として消火流体を搬送する。その流体搬送装置１は消火流体搬送用ホース２を備えている。図２の（１）、（２）に示すように、そのホース２に、その長手方向がホース２の長手方向に沿うように信号線３が取り付けられている。本実施形態では、そのホース２は筒状のカバー４により覆われ、そのカバー４の内周とホース２の外周との間に配置されることで信号線３はホース２に取り付けられている。
【００１１】
そのホース２は信号線３と共にリール（回転部材）５により巻取りおよび繰出し可能とされている。図３に示すように、そのリール５は中空のシャフト５ａと、そのシャフト５ａに取り付けられた一対のフランジ５ｂとを有する。そのシャフト５ａの外周にホース２が信号線３と共に巻かれる。そのリール５は、そのシャフト５ａの軸中心に回転可能に支持部材６により軸受７を介して支持されている。そのホース２は、そのリール５に巻かれた状態で流体を搬送可能なように保形性を有し、図３に示すように断面が円形の状態を保持できる。このような保形性を有するホース２自体は厚肉で剛性の大きなゴムや合成樹脂等から成形される公知のものを用いることができる。
【００１２】
そのリール５に巻かれたホース２の一端を流体搬送用配管８に接続するための配管コネクタ９が設けられている。本実施形態では、その配管コネクタ９は上記シャフト５ａの一端に配置され、そのシャフト５ａと同行回転すると共にホース２の一端が接続される部材９ａと、この部材９ａに相対回転可能に連結されると共に流体搬送用配管８が着脱可能に接続される部材９ｂとを有し、両部材９ａ、９ｂを介してホース２と流体搬送用配管８との間で流体が搬送される。
【００１３】
そのリール５にホース２と共に巻かれた信号線３の一端を信号伝送用配線１０に接続するための配線コネクタ１１が設けられている。本実施形態では、その配線コネクタ１１は上記シャフト５ａの他端に配置され、そのシャフト５ａと同行回転すると共に信号線３の一端が接続される部材１１ａと、この部材１１ａに相対回転可能に連結されると共に信号伝送用配線１０が着脱可能に接続される部材１１ｂとを有し、両部材１１ａ、１１ｂの間に信号線３と信号伝送用配線１０とを電気的に接続するブラシとスリッププレートのような接合機構（図示省略）が設けられている。
【００１４】
そのホース２の他端に消火流体噴出ノズル１４が接続されている。その信号線３の他端に制御信号発信用の操作装置１５が接続されている。その操作装置１５自体はスイッチ操作により所定の制御信号を発信する公知のものを用いることができ、本実施形態では消火流体噴出ノズル１４に取り付けられている。
【００１５】
その流体搬送用配管８に、消防車に搭載された消火水吐出用ポンプ１７が接続され、また、消火薬剤タンク１９が切り替え機構２０を介して接続されている。
【００１６】
その信号伝送用配線１０に制御装置２１が接続され、その制御装置２１に切り替え機構２０が接続されている。その制御装置２１は、上記操作装置１５の操作によって発信される制御信号に応じて、その切り替え機構２０を消火薬剤タンク１９から流体搬送用配管８に消火薬剤を供給させる状態と供給を遮断する状態との間で切り替えることができる。本実施形態では、その切り替え機構２０は電磁開閉バルブ２０ａと混合装置２０ｂとにより構成されている。その電磁開閉バルブ２０ａは、制御装置２１により駆動されることで消火薬剤タンク１９と混合装置２０ｂとの間を開閉する。その混合装置２０ｂは、その電磁開閉バルブ２０ａが開かれる時、消火薬剤タンク１９から消火薬剤を吸引するように制御装置２１により駆動されるポンプを内蔵する。また、操作装置１５の操作により、消火水吐出用ポンプ１７を駆動するエンジンＥの出力を制御装置２１により制御することで消火流体の吐出圧が制御可能とされている。
【００１７】
上記流体搬送装置１によれば、ホース２はリール５に巻かれた状態でも消火流体を搬送できるように保形性を有するので、流体搬送距離が長い場合でも継手を介して連結される複数のホースを必要としない。よって、そのホース２に信号線３を取り付けることで、継手において電気的接点を介して接続される複数の信号線も必要とされない。すなわち、ホース２による消火流体搬送距離が長い場合でも信号線３により確実に信号を伝送できる。その信号線３はカバー４により保護すると共に容易にホース２に取り付けることができる。また、配管コネクタ９を介してホース２の一端を流体搬送用配管８に接続し、配線コネクタ１１を介して信号線３の一端を信号伝送用配線１０に接続することで、流体搬送用配管８に接続された状態のホース２と信号伝送用配線１０に接続された状態の信号線３のリール５による巻き取り又は繰り出しができ、また、その巻き取り又は繰り出しを行いつつホース２と流体搬送用配管８とを着脱し、信号線３と信号伝送用配線１０とを着脱できるので、作業性を向上できる。さらに、消火現場において、火災発生箇所に消火流体として水のみを散布するのか薬剤も併せて散布するのかの判断を、消火流体噴出ノズル１４を持つ消防士が迅速に行い、その判断に応じて操作装置１５を操作することで、消火薬剤タンク１９から流体搬送用配管８に消火薬剤を供給する状態あるいは供給を遮断する状態とし、消火流体の種類を切り替えることができる。
【００１８】
本発明は上記実施形態に限定されない。例えば、ホースへの信号線の取り付け方法は特に限定されない。また、消火流体を水のみとし、操作装置により制御装置を介して消火水吐出用ポンプの制御のみを行うようにしてもよい。さらに、本発明の流体搬送装置により搬送される流体は消火流体に限定されず、他の液体や気体であってもよい。
【００１９】
【発明の効果】
本発明の流体搬送装置によれば、流体をホースによって搬送すると共に、そのホースに取り付けた信号線により信号を伝送する際に、複雑な構造を要することなく、且つ、作業の遅滞を生じることなく信号を確実に伝送することができ、さらに消火活動にも寄与できる。
【図面の簡単な説明】
【図１】本発明の実施形態の流体搬送装置の構成説明図
【図２】本発明の実施形態の流体搬送装置におけるホース、信号線、カバーの（１）は横断面図、（２）は縦断面図
【図３】本発明の実施形態の流体搬送装置におけるリールの断面図
【符号の説明】
１　流体搬送装置
２　ホース
３　信号線
４　カバー
５　リール（回転部材）
６　支持部材
８　流体搬送用配管
９　配管コネクタ
１０　信号伝送用配線
１１　配線コネクタ
１４　消火流体噴出ノズル
１５　操作装置
１７　消火水吐出用ポンプ
１９　消火薬剤タンク
２０　切り替え機構
２１　制御装置
【図１】
2004065456.tif 000003
【図２】
2004065456.tif 000004
【図３】
2004065456.tif 000005